(57)【要約】【課題】  周囲が閉塞されているにもかかわらず、水、土壌、植物のみならず、背面土からの虫等の動物をも通過するようにし、有効な生態系保護ブロックにする。隣接するブロックを係止する係止板１４を堅牢にする。【解決手段】  無蓋箱形のブロック１の後壁２に上部が開口する動植物の通過窓４を形成する。ブロック１の左右壁６、７の前壁連結部８の外側にハンチ９と連続する肉厚部１０を形成し、この肉厚板１０の外側面および底板１３に、隣接するブロック１の前壁延出部１１に係止する外向係止板１４を一体的に設ける。【選択図】図１
2005105739.tif 000002
【特許請求の範囲】
【請求項１】
無蓋箱形のブロックの前壁と後壁とをそれぞれ上部後傾状に形成し、前記前壁と後壁の内側を左右壁で連結し、前記後壁に上部が開口する動植物の通過窓を形成し、前記左右壁の上面を前記前壁の上面より低く形成し、前記左右壁の前壁連結部の外側にハンチと連続する肉厚部を形成し、前記肉厚部の外側面および底板に、隣接するブロックの前壁延出部に係止する外向係止板を一体的に設け、しかも前記外向係止板を前記前壁と等高かつ平面視段状に直交させることを特徴とする構築用ブロック。
【請求項２】
無蓋箱形のブロックの後壁を法面に沿って上部後傾状態に形成し、前記後壁に上部が開口する動植物の通過窓を形成し、前壁を上部後傾状態に形成し、左右壁で前記前後壁を連結し、前記左右壁の上面を前記前壁の上面より低く、かつ前記後壁の上面と等高に形成し、前記左右壁の前壁連結部の内外のハンチと連続する肉厚部を形成し、前記肉厚部の内方に段部を形成し、前記肉厚部の外側面および底板に、隣接するブロックの前壁延出部に係止する外向係止板を一体的に設けて前記前壁の一端と等高かつ平面視段状に直交させ、前記左右壁の上面に係合突片およびピンを突設し、前記底板に前記係合突片より僅かに大きい係合溝および細長孔からなるピン挿入孔を形成し、前記左右壁および前記底板に第１、第２の動植物の通過孔を形成することを特徴とする請求項１の構築用ブロック。
【発明の詳細な説明】
【技術分野】
【０００１】
本発明は海岸、河川の護岸、道路、水路の擁壁に使用され、特に無蓋箱状のブロックに関する。
【背景技術】
【０００２】
構築用ブロックの分野ではＩ形、Ｔ形、箱形等、各種の形状のものが知られている。これらのうち箱形のブロックが設置の際に安定していて積み易い。またブロック単体の強度も大きい。
【０００３】
しかし、箱形ブロックは周囲が閉塞されているため動植物の生育環境を奪うことになり、この点に関しては不都合である。
【０００４】
この改善策として下記の特許文献１が知られているが、この公知例における後壁および底板に示されている孔はいずれも水抜き孔であり、植栽を可能にするが、虫等の動物を自由に往来させるまでには到らない。
【０００５】
また動物の生育を可能にするものとして下記の特許文献２があげられるが、これは前壁を上方前傾させることにより水中の動植物の生育を可能にするにすぎず、擁壁側からの動植物の往来を自由にさせるものではない。
【０００６】
さらにブロックを階段状に積み上げた場合、各前壁が鉛直若しくは上方前傾であると流水圧によるブロックにかかる負担が大きく不都合である。前記２つの文献による前壁は前者が鉛直、後者が上方前傾であり、好ましくない。
【０００７】
箱形以外のブロックでは前壁の一側に段部を設けるとともに前壁の端部を横方向に延出し、隣接するブロックの前壁における段なし延出部と重合するようにして延長調整および曲面対応の可能なものが知られているが、前壁の一部を段状に延出するために強度的に問題がある。
【０００８】
【特許文献１】特許第２７６７７８８号公報
【特許文献２】特開平８−１９９５３１号公報
【発明の開示】
【発明が解決しようとする課題】
【０００９】
本発明は周囲が閉塞されているにもかかわらず、水、土壌、植物のみならず、背面土からの虫等の動物をも通過するようにし、有効な生態系保護ブロックにすることを課題とする。
【００１０】
また、隣接するブロックを係止する係止板を堅牢にすることを課題とする。
【００１１】
さらに流水圧によるブロックにかかる負担をできる限り回避することを課題とする。
【００１２】
本発明は前記課題に加え、ブロックを安定よく積層することができ、しかも現場におけるブロックの多少のずれに対処することを課題とする。
【課題を解決するための手段】
【００１３】
本発明は無蓋箱形のブロックの前壁と後壁とをそれぞれ上部後傾状に形成し、前記前壁と後壁の内側を左右壁で連結し、前記後壁に上部が開口する動植物の通過窓を形成し、前記左右壁の上面を前記前壁の上面より低く形成し、前記左右壁の前壁連結部の外側にハンチと連続する肉厚部を形成し、前記肉厚部の外側面および底板に、隣接するブロックの前壁延出部に係止する外向係止板を一体的に設け、しかも前記外向係止板を前記前壁と等高かつ平面視段状に直交させることを特徴とするものである。
【００１４】
また本発明は無蓋箱形のブロックの後壁を法面に沿って上部後傾状態に形成し、前記後壁に上部が開口する動植物の通過窓を形成し、前壁を上部後傾状態に形成し、左右壁で前記前後壁を連結し、前記左右壁の上面を前記前壁の上面より低く、かつ前記後壁の上面と等高に形成し、前記左右壁の前壁連結部の内外のハンチと連続する肉厚部を形成し、前記肉厚部の内方に段部を形成し、前記肉厚部の外側面および底板に、隣接するブロックの前壁延出部に係止する外向係止板を一体的に設けて前記前壁の一端と等高かつ平面視段状に直交させ、前記左右壁の上面に係合突片およびピンを突設し、前記底板に前記係合突片より僅かに大きい係合溝および細長孔からなるピン挿入孔を形成し、前記左右壁および前記底板に第１、第２の動植物の通過孔を形成することを特徴とするものである。
【発明の効果】
【００１５】
請求項１の本発明によれば、周囲が閉塞されているにもかかわらず、水、土壌、植物のみならず、背面土からの虫等の動物をも通過することができ、有効な生態系保護ブロックにすることができる。
【００１６】
また本発明によれば、隣接するブロックを係止する係止板を堅牢にすることができる。
【００１７】
さらに本発明によれば、流水圧によるブロックにかかる負担をできる限り回避しやすい。
【００１８】
請求項２の本発明によれば、前記効果に加え、ブロックを安定よく積層することができ、しかも現場におけるブロックの多少のずれに対処することができる。
【発明を実施するための最良の形態】
【００１９】
本発明は無蓋箱形のブロック１をコンクリートにより一体形成し、空洞２１を設ける。
【００２０】
ブロック１の後壁２を法面３に沿って上部に行くに従って後傾する傾斜板で形成し、後壁２の中央上方に上端が開口する虫などの動物や植物の種等の生物および水、土壌が往来可能な角型の通過窓４を形成する。
【００２１】
前壁５を上部に行くに従って後傾する傾斜板で形成し、その表面を擬石模様、荒れ肌等、所望の処理をすることが自然的な外観となり好ましい。また図７で示すように前壁５の裏面を鉛直にして略台形にする。強度が大となり好ましい。
【００２２】
前壁５と後壁２とを左壁６、右壁７で連結し、しかも左右壁６、７の各後端を、後壁２の内側を傾斜させてなる肉厚部２ａに一体化し、しかも後壁２の上面２′と左右壁６、７の上面６′、７′とを等高に形成する。
【００２３】
左右壁６、７の各前端の両側にハンチ９、９および肉厚部１０、１０を連続して形成し、これらの肉厚部１０、１０と前壁１裏面とを一体的に連結する。
【００２４】
このとき、左右壁６、７の上面６′、７′を前壁５の上面５′より低く形成し、左右壁６、７の一方の前壁連結部８を前壁５の内側に一体形成し、前壁５の一方の外側端部を前壁延出部１１とし、左右壁６、７の各肉厚部１０の内側に段部１２を形成する。
【００２５】
左右壁６、７の他方の肉厚部１０の側方に、隣接するブロック１の前壁延出部１１に係止する外向係止板１４を一体的に設け、かつ外向係止板１４の底部１４ａを底板１３に一体形成する。この外向係止板１４の上面を前壁５と等高かつ平面および底面視段状に直交させ、左右壁６、７の上面６′、７′に台形の各係合突片１５およびピン１６を突設する。
【００２６】
底板１３の前端は図４で示すように前壁５に一体化するとともに外向係止板１４の底部１４ａに一体化する。左右壁６、７の外側には後壁２、肉厚部２ａ、底板１３の延長外出端１３ａ、ハンチ９、肉厚部１０とを一体とする略コ字状の補強枠２２が形成される。左右壁６、７および底板１３に水、土壌は勿論、虫などの動物や植物の種の往来が可能な生物の通過孔１９、１９、２０を形成する。
【００２７】
底板１３に係合突片１５より一回り大きい台形の係合溝１７を図４で示すように横切って形成し、また底板１３に細長孔からなるピン挿入孔１８、１８を形成する。
【００２８】
さらに図示の金網や多数の小孔を穿ったコンクリート板（図示せず）等の土砂流出防止手段２３および底面に台形の係合溝１７′を設けたコンクリート製の天板２４を具備する。
【００２９】
次に本発明の使用法を説明すれば、基礎材２５の上に側面Ｌ字形の基礎コンクリート２６を設置し、基礎コンクリート２６上に複数個のブロック１、１、１・・・を横並びにし、各前壁延出部１１と隣接するブロック１の外向係止板１４を重ね合わせる。延長調整をする必要があれば、前壁延出部１１と外向係止板１４を重合しつつずらせばよく、曲面対応させたい場合は前壁延出部１１と外向係止板１４との接触角度を変えればよい。また図９で示すように隣接するブロック１、１の左壁６と右壁７との間にも空隙２１′が形成される。
【００３０】
外向係止板１４は前壁５のみと一体ではなく、肉厚部１０およびそのハンチ９を介して左右壁６、７の一方および底板１３と一体になっているので堅牢であり、損傷しにくい。続いて各ブロック１の空洞２１および空隙２１′に中詰め材２８として土砂や砂利等を充填し、段部１２、１２に金網からなる土砂流出防止手段２３の約3分の２を載置して係止する（図３参照）。
【００３１】
次に1段目のブロック１、１、１・・・に2段目のブロック１、１、１・・・をそれぞれ載置する。このとき各係合突片１５を各係止溝１７に、また各ピン１６を細長孔１８に遊挿する。しかもこれらは現場でのずれに対応できる。さらに金網からなる土砂流出防止手段２３の後方には前壁５の底面５ｂが載り、土砂流出防止手段２３は安定良く係止載置され、土砂流出防止手段２３の前方は表出する。なお図８〜図１１に示す使用状態図は千鳥状に積重ねた例を示している。同様にして最上段のブロック１、１、１・・・を載置した後、天板２４の係止溝１７′を各係止突片１５に外嵌して確実に載置する。
【００３２】
この結果、底面、左右側面は勿論、背面からも各種動植物が往来することができ、しかも土砂流出防止手段２３を通じて内部の中詰め材２８の流出を防止することができ、植栽も可能となる。
【００３３】
また各前壁５が上部後傾しているので大きい流水圧を回避することが出来る。
【図面の簡単な説明】
【００３４】
【図１】本発明のブロックの後方斜視図である。
【図２】同上の前方斜視図である。
【図３】同上の平面図である。
【図４】同上の底面図である。
【図５】同上の背面図である。
【図６】同上の左側面図である。
【図７】同上のＡ−Ａ断面図である。
【図８】本発明の使用状態の正面図である。
【図９】同上における天板を外した平面図である。
【図１０】同上の背面図である。
【図１１】同上の一部切欠側面図である。
【符号の説明】
【００３５】
１  ブロック
２  後壁
３  法面
４  通過窓
５  前壁
５′  前壁の上面
６  左壁
６′  左壁の上面
７  右壁
７′  右壁の上面
８  前壁連結部
９  ハンチ
１０  肉厚部
１１  前壁延出部
１２  段部
１３  底板
１４  外向係止板
１５  係合突片
１６  ピン
１７  係合溝
１８  ピン挿入孔
１９  通過孔
２０  通過孔
【図１】
2005105739.tif 000003
【図２】
2005105739.tif 000004
【図３】
2005105739.tif 000005
【図４】
2005105739.tif 000006
【図５】
2005105739.tif 000007
【図６】
2005105739.tif 000008
【図７】
2005105739.tif 000009
【図８】
2005105739.tif 000010
【図９】
2005105739.tif 000011
【図１０】
2005105739.tif 000012
【図１１】
2005105739.tif 000013